(57)【要約】      （修正有）【課題】小型軽量で持ち運びが容易で、デザイン的に優れ、その色彩が楽しめ、空間に音声・音楽を拡声して発散することができるイヤホンジャックからの出力を拡声できるスピーカを提供する。【解決手段】音声出力再生装置のイヤホンジャックに接続されこのイヤホンジャックからの音声出力信号を増幅して再生するスピーカ１０であって、イヤホンジャックに接続されるイヤホンプラグ２１と、本体部１の入力ジャック１１に接続される入力プラグ２２とを有し、イヤホンジャックと入力ジャック１１を電気的に接続して音声出力信号を伝送するコード部２と、入力ジャック１１でコード部２から入力される音声出力信号を増幅する収容ボックス１３内に設けられた増幅手段と、この増幅手段で増幅された出力信号を振動に変えて音響信号を出力する圧電物質からなる振動板１４と、上記各部を覆う球形のカバー１６とを有する本体部１とを備えて構成される。【選択図】図２
0003153983.tif 000002
【実用新案登録請求の範囲】
【請求項１】
音声出力再生装置のイヤホンジャックに接続され、このイヤホンジャックからの音声出力信号を増幅して再生するスピーカであって、
前記イヤホンジャックに接続されるイヤホンプラグと、本体部の入力ジャックに接続される入力プラグとを有し、前記イヤホンジャックと前記入力ジャックを電気的に接続して前記音声出力信号を伝送するコード部と、
前記入力ジャックで前記コード部から入力される前記音声出力信号を増幅する増幅手段と、この増幅手段で増幅された前記音声出力信号を振動板の振動に変えて音響信号を出力する変換手段と、前記振動板と、前記増幅手段及び前記変換手段に電源を供給する内蔵充電池と、前記本体部を構成する前記入力ジャック、前記増幅手段、前記変換手段、前記振動板、前記内蔵充電池を含む各部を覆う球形のカバーとを有する前記本体部と
を備えて構成されることを特徴とするスピーカ。
【請求項２】
前記コード部の前記イヤホンプラグと前記入力プラグとは、弾性を有して自立するコードで接続されていることを特徴とする請求項１に記載のスピーカ。
【請求項３】
前記振動版は圧電素子であり、それ自体で前記変換手段の機能を併せ持っていることを特徴とする請求項１または２に記載のスピーカ。
【請求項４】
一端側に前記入力ジャックを有し、多端側に前記振動板が発する音響信号を送り出す複数の孔を備えた蓋部を有する金属筐体中に、前記増幅手段と、前記変換手段と、前記振動板と、前記内蔵充電池とが収納されていることを特徴とする請求項１ないし３のいずれか１項に記載のスピーカ。
【請求項５】
前記球形カバーは彩色されたスポンジ状のプラスチックで構成されていることを特徴とする請求項１ないし４のいずれか１項に記載のスピーカ。
【考案の詳細な説明】
【技術分野】
【０００１】
本考案は、イヤーホーン端子からの出力を用いて音を増幅出力することができるスピーカに関する。
【背景技術】
【０００２】
近年、電子機器の軽量小型化に伴って、音楽再生機能付きの携帯電話、携帯型のコンパクトディスクプレーヤ、ミニディスクプレーヤ、ＩＣメモリプレーヤなど、音声出力再生装置として小型で高性能の機器が広く市場に現れている。このような、携帯型の音声出力再生装置は、再生された音楽などの音声信号を聴取するために、イヤホンやヘッドホンが主として用いられ、装置にスピーカが内蔵されていない場合も多い。
しかしながら、このような再生装置を用いて、時にはイヤホンやヘッドホンから開放されて、空間に音を開放し、複数の仲間で音楽や、漫才、落語などの演芸や、録音した会話などの音声出力を楽しみたいという要望も生まれる。
【０００３】
イヤホンジャックにプラグを差し込んで、音声信号を増幅するスピーカとして、例えば、イヤホンの音声出力側にホルンスピーカを取り付けて拡声するものや増幅回路を備えたものが市販されており、また、静電気放電保護効果を備えたイヤホンスピーカの例などが報告されている（特許文献１参照）。
【先行技術文献】
【特許文献】
【０００４】
【特許文献１】特開２００９−４４７０７
【考案の概要】
【考案が解決しようとする課題】
【０００５】
しかしながら、従来の携帯型の音声出力再生装置のイヤホンジャックからの出力を拡声するスピーカは、その拡声増幅率が十分でなかったり、装置が大型で持ち運びに不便であったり、デザイン的に十分楽しめないものが多かった。
本考案は、これらの問題を解決して、小型軽量で持ち運びが容易で、デザイン的に優れ、その色彩が楽しめ、空間に音声・音楽を拡声して発散することができるイヤホンジャックからの出力を拡声できるスピーカの実現を目的とする。
【課題を解決するための手段】
【０００６】
上記課題を解決するため、本考案のスピーカは、音声出力再生装置のイヤホンジャックに接続され、このイヤホンジャックからの音声出力信号を増幅して再生するスピーカであって、前記イヤホンジャックに接続されるイヤホンプラグと、本体部の入力ジャックに接続される入力プラグとを有し、前記イヤホンジャックと前記入力ジャックを電気的に接続して前記音声出力信号を伝送するコード部と、前記入力ジャックで前記コード部から入力される前記音声出力信号を増幅する増幅手段と、この増幅手段で増幅された前記音声出力信号を振動板の振動に変えて音響信号を出力する変換手段と、前記振動板と、前記増幅手段及び前記変換手段に電源を供給する内蔵充電池と、前記本体部を構成する前記入力ジャック、前記増幅手段、前記変換手段、前記振動板、前記内蔵充電池を含む各部を覆う球形のカバーとを有する前記本体部とを備えて構成されることを特徴とする。
【０００７】
ここで、前記コード部の前記イヤホンプラグと前記入力プラグとは、弾性を有して自立するコードで接続されていることを特徴とする。
【０００８】
また、前記振動版は圧電素子であり、それ自体で前記変換手段の機能を併せ持っていることを特徴とする。
【０００９】
さらに、一端側に前記入力ジャックを有し、多端側に前記振動板が発する音響信号を送り出す複数の孔を備えた蓋部を有する金属筐体中に、前記増幅手段と、前記変換手段と、前記振動板と、前記内蔵充電池とが収納されていることを特徴とする。
【００１０】
また、前記球形カバーは彩色されたスポンジ状のプラスチックで構成されていることを特徴とする。
【考案の効果】
【００１１】
本考案は、以上のように構成することにより、小型軽量で持ち運びが容易で、デザイン的に優れ、その色彩が楽しめ、イヤホン端子から外の空間に音声・音楽を拡声して発散することができるスピーカを実現することができ、ポケットや小物入れなどに嵩張らずに忍ばせて持ち運んだり、そこから音を出したりして楽しむことができる。
デザイン的には小さなカラースポンジボールから音が出力され、スポンジボールが弾性的に音声出力再生装置のイヤホンジャックに支持されているので、全体的にボールが弾むような感覚が楽しめる。
【図面の簡単な説明】
【００１２】
【図１】本考案に係るスピーカの一実施の形態の外観斜視図である。
【図２】図１に示す実施の形態の分解外観斜視図である。
【図３】図１に示す実施の形態の側面図である。
【図４】図１に示す実施の形態のコード部の側面図である。
【図５】図１に示す実施の形態のイヤホンプラグ側から見た正面図である。
【図６】図１に示す実施の形態の球形カバー側から見た正面図である。
【考案を実施するための形態】
【００１３】
以下、図面を参照しつつ本考案に係るスピーカについて説明する。
図１は、本考案のスピーカ１０の一実施形態の外観斜視図、図２は、図１に示すスピーカ１０の実施形態の分解外観斜視図である。また、図３は、この実施の形態の側面図、図４は、コード部の側面図、図５は、イヤホンプラグ側から見た正面図、図６は、球形カバー側から見た正面図である。
【００１４】
図１及び図２に示すように、スピーカ１０は、本体部１とコード部２とから構成されている。
【００１５】
本体部１は、蓋部１５と底部１２とからなり、本体部１の所要部分を収納して外来雑音の影響を遮蔽する金属性の筐体と、この筐体を覆う彩色されたスポンジ状のプラスチックで構成された球形カバー１６からから構成されている。
一方、コード部２は、図示しない音声出力再生装置のイヤホンジャックに挿入して音声信号出力を取り出すイヤホンプラグ２１と、本体部１の入力ジャック１１とに挿入して音声信号を本体部１に接続する入力プラグ２２と、イヤホンプラグ２１と入力プラグ２２とを電気的に接続するコード２３から構成されている。コード２３は、弾性と自立性を有している。
【００１６】
本体部１において、筐体の底部１２には、コード部２の入力プラグ２１が挿入される入力ジャック１１が設けられている。音声出力再生装置からの音声信号は、入力ジャック１１から増幅部・充電池収納ボックス１３内の増幅基板に入力されて増幅され、圧電物質からなる振動板１４に入力される。
増幅基板の電源は、増幅部・充電池収納ボックス１３内に設けられた内蔵電池（リチウムイオン電池）から供給される。この内蔵電池は充電端子孔１８からＵＳＢ端子を介して充電される。
止めねじ孔１７は、ビスを入れて筐体の底部１２と蓋部１５を組み上げて固定するための孔である。
振動板１４を構成する圧電物質は、電圧がかけられると伸び縮みをしたり曲がったりする性質があり、この原理を用いて、圧電物質からなる振動板１４に直接、増幅基板の出力電圧を印加して駆動し、振動板１４をスピーカとして働かして、音響信号を出力することができる。
振動板１４から出力される音響信号は筐体の蓋部１５に設けられた出力孔を介して空間に出力される。
【００１７】
ところで、本実施の形態では、本体部１の筐体がスポンジ状のプラスチックで構成された球形カバー１６で覆われている。この球形カバー１６は、イエロー、ピンク、レッド、ブラック、ダークグリーンなどで彩色され、且つ、交換可能なので、その時々の服装や気分に応じた色彩に取り替えることができ、デザイン性に優れている。
【００１８】
次に、本実施の形態のスピーカの仕様を列記する。
電源        内部充電池（リチウムイオン電池）
充電方法    ＵＳＢ端子からの充電
球形カバー  ＡＢＳ樹脂スポンジ
色  イエロー、ピンク、レッド、ブラック、ダークグリーン
機能        増幅器内蔵圧電スピーカ
動作時間    約５時間
差動温度    ０〜４０°Ｃ
出力        ０．７Ｗ（８Ω  １．０ｋＨｚ）
充電時間    約２時間
充電電流／電圧  １００ｍＡ／４．２Ｖ
【００１９】
本考案は、上述の実施形態に限定されるものではなく、例えば、次に述べるような種々の変形も可能である。
上述の実施形態では、振動版を圧電物資で形成した圧電スピーカを例としてあげたが、その他の形式のスピーカ、例えば動電型のスピーカを用いてもよい。動電型のスピーカを用いると、磁気回路やコイルなどの変換手段が必要になり、構造が大型になりやすいが、音響特性は優れたものになる。
【産業上の利用可能性】
【００２０】
本考案は、以上に述べたように構成されているので、小型軽量で持ち運びが容易で、デザイン的に優れ、その色彩が楽しめ、イヤホン端子から外の空間に音声・音楽を拡声して発散することができ、ポケットや小物入れなどに嵩張らずに持ち運ぶことができ、使い勝手がよく、楽しいスピーカが得られ、若者が楽しむことができ、また、保育所や学校などでも広く用いられる可能性を備えている。
【符号の説明】
【００２１】
１    本体部
２    コード部
１０  スピーカ
１１  入力ジャック
１２  筐体底部
１３  増幅部・充電池収容ボックス
１４  振動板
１５  筐体蓋部
１６  球形カバー
１７  止めねじ孔
１８  充電端子孔
２１  イヤホンプラグ
２２  入力プラグ
２３  コード
【図１】
0003153983.tif 000003
【図２】
0003153983.tif 000004
【図３】
0003153983.tif 000005
【図４】
0003153983.tif 000006
【図５】
0003153983.tif 000007
【図６】
0003153983.tif 000008